(57)【要約】動翼の損傷を補修するための交換用の部品を事前に用意しておき、動翼に損傷が生じると、その損傷箇所を含むように損傷部位を交換用の部品と同形状に切り取り、その動翼の切り取り面に交換用の部品を溶接により接合する。このとき、交換用の部品の形状及び損傷部位の切り取り形状を、動翼の切り取り面の一部が複数の冷却流路の一部を横切り、動翼の切り取り面の他の一部が複数の冷却流路と平行に冷却流路間の１つの壁部内を通過するように設定し、かつ交換用の部品の内部に複数の冷却流路を形成する。また、動翼の切り取り面に開口する複数の冷却流路の開口部と交換用の部品の接合面に開口する複数の冷却流路の開口部を各冷却流路の直径よりも拡大する。これにより補修が容易となり、補修時の作業効率に優れ、補修期間を短縮し補修費用を削減できる。また、補修にともない内部の冷却流路が閉塞されたり流路が狭まることがなく、補修後も適切な冷却を行える。
2003048528.tif 000002
【特許請求の範囲】
【請求項１】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、
前記動翼の損傷を補修するための交換用の部品を事前に用意しておくこと、
前記動翼に損傷が生じると、その損傷箇所を含むように損傷部位を前記交換用の部品と同形状に切り取り、その動翼の切り取り面に前記交換用の部品を溶接により接合すること、
前記交換用の部品の形状及び前記損傷部位の切り取り形状を、前記動翼の切り取り面の少なくとも一部が前記複数の冷却流路の少なくとも一部を横切るように設定し、かつ前記交換用の部品の内部に複数の冷却流路を形成すること、
前記動翼の切り取り面に開口する複数の冷却流路の開口部と前記交換用の部品の接合面に開口する複数の冷却流路の開口部の少なくとも一方を各冷却流路の直径よりも拡大することを特徴とする発電用ガスタービンの動翼の補修方法。
【請求項２】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、
前記動翼の損傷を補修するための交換用の部品を事前に用意しておくこと、
前記動翼に損傷が生じると、その損傷箇所を含むように損傷部位を前記交換用の部品と同形状に切り取り、その動翼の切り取り面に前記交換用の部品を溶接により接合すること、
前記交換用の部品の形状及び前記損傷部位の切り取り形状を、前記動翼の切り取り面の一部が前記複数の冷却流路と平行に冷却流路間の１つの残肉部内を通過するように設定することを特徴とする発電用ガスタービンの動翼の補修方法。
【請求項３】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、
前記動翼の損傷を補修するための交換用の部品を事前に用意しておくこと、
前記動翼に損傷が生じると、その損傷箇所を含むように損傷部位を前記交換用の部品と同形状に切り取り、その動翼の切り取り面に前記交換用の部品を溶接により接合すること、
前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成すること、
前記動翼の切り取り面に開口する複数の冷却流路の開口部と前記交換用の部品の接合面に開口する複数の冷却流路の開口部の少なくとも一方を各冷却流路の直径よりも拡大することを特徴とする発電用ガスタービンの動翼の補修方法。
【請求項４】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、
前記動翼の損傷を補修するための交換用の部品を事前に用意しておくこと、
前記動翼に損傷が生じると、その損傷箇所を含むように損傷部位を前記交換用の部品と同形状に切り取り、その動翼の切り取り面に前記交換用の部品を溶接により接合すること、
前記交換用の部品の形状及び前記損傷部位の切り取り形状を、前記動翼の切り取り面の少なくとも一部が前記複数の冷却流路の少なくとも一部を横切ように設定し、かつ前記動翼の切り取り面をタービン径方向に対して任意の角度で傾け、これに対応して前記交換用の部品との接合面における溶接線を傾けたことを特徴とする発電用ガスタービンの動翼の補修方法。
【請求項５】
請求項４記載の発電用ガスタービンの動翼の補修方法において、
前記交換用の部品の内部に複数の冷却流路を形成すること、
前記動翼の切り取り面に開口する複数の冷却流路の開口部と前記交換用の部品の接合面に開口する複数の冷却流路の開口部の少なくとも一方を各冷却流路の直径よりも拡大することを特徴とする発電用ガスタービンの動翼の補修方法。
【請求項６】
請求項４又は５記載の発電用ガスタービンの動翼の補修方法において、
前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成したことを特徴とする発電用ガスタービンの動翼の補修方法。
【請求項７】
請求項１〜４のいずれか１項記載の発電用ガスタービンの動翼の補修方法において、前記タービンの新設計時は他の機種の動翼の損傷データを元に前記動翼の損傷箇所を予測し、この損傷箇所を含むように前記損傷部位の切り取り形状を設定し、同機種のタービンが既に稼動し、その動翼の実際の損傷データが得られるときは、その損傷データを元に前記動翼の損傷箇所を予測し、この損傷箇所を含むように前記損傷部位の切り取り形状を設定することを特徴とする発電用ガスタービンの動翼の補修方法。
【請求項８】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの補修後のタービン動翼において、
前記動翼の一部が切り取られ、その代わりに交換用の部品が溶接により接合されており、
前記動翼の切り取り面と交換用の部品との接合面の少なくとも一部が前記複数の冷却流路の少なくとも一部を横切り、かつ前記交換用の部品の内部に複数の冷却流路が形成されており、
前記動翼の切り取り面に開口する複数の冷却流路の開口部と前記交換用の部品の接合面に開口する複数の冷却流路の開口部の少なくとも一方が各冷却流路の直径よりも拡大されていることを特徴とする発電用ガスタービンの補修後のタービン動翼。
【請求項９】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの補修後のタービン動翼において、
前記動翼の一部が切り取られ、その代わりに交換用の部品が溶接により接合されており、
前記動翼の切り取り面と交換用の部品との接合面の一部が前記複数の冷却流路と平行に冷却流路間の１つの残肉部内を通過することを特徴とする発電用ガスタービンの補修後のタービン動翼。
【発明の詳細な説明】
技術分野
本発明は発電用ガスタービンの動翼の補修方法及び補修後のタービン動翼に係わり、特に、燃焼ガスの膨張の際に発生する運動エネルギーを回転動力へ変換する発電用ガスタービンの動翼の補修方法及び補修後のタービン動翼に関する。
背景技術
発電用ガスタービンのタービン動翼は、燃焼ガスの膨張の際に発生する運動エネルギーを外表面に受けて回転動力へ変換するために外表面は高温となる。また、動翼内部には翼部を冷却するための空洞の流路（冷却流路）が複雑に設けられているために内表面は低温となる。その結果、高温の燃焼ガスにさらされる領域と冷却が図られる領域間の温度差は大きくなるため、高熱応力が発生する傾向にある。
このように過酷な環境に曝される動翼は、熱疲労及びクリープなど最も損傷が発生しやすく、タービンの寿命を律する部品となっている。
このような動翼の補修方法としては、従来次のようなものがある。
従来一般に採用されている補修方法としては、動翼の外表面にき裂が生じた場合に、当該き裂へ肉盛溶接を行い、仕上げ加工を行うものがある。
特開平９−１６８９２７号公報には、Ｎｉ及びＣｏ基超合金からなるガスタービン用の動翼又は静翼の割れ発生部を補修する方法として、割れ発生部を削除後、同部に動翼又は静翼材と同質の保持板を当てがうと同時に、その間にろう材を挿入し、ろう付け接合し、更にそのろう付け表面部をレーザ溶接する方法が開示されている。
特開２０００−３５６１０２号公報には、蒸気タービンの動翼の補修方法において、動翼の損傷箇所を含む部位を切除し、その動翼の切除面に継ぎ当て部品を接合し、動翼を補修する方法が記載されている。この補修方法では、継ぎ当て部品として削り代のあるものを用い、動翼の切除面に接合後、その継ぎ当て部品を含め動翼の既存表面の計測データを収集し、その後その計測データに基づき既存表面に適合しかつ翼形としての目標形状に近い適合形状を定め、その適合形状となるよう削り代のある継ぎ当て部品の余剰部分を削り取る。
一方、特開２００１−２０７８０３号公報にはタービン静翼の補修方法が開示されている。この補修方法は、例えばシュラウドが翼部と接合している部分など、予め亀裂が発生する確率が高い部位を想定して予備品を用意しておき、当該部位に亀裂が発生したときその部位を切り取り、予備品に置き換え、溶接により接合する。
また、動翼の補修方法ではないが、補修の容易さを考慮した翼構造を開示するものとして、特開昭５８−１４８２０１号公報、特開平５−３２１６０２号公報、特開平１１−２２４０７号公報などがある。
発明の開示
近年、ガスタービン設備においては、夏場の電力需要の増大に対応するために出力の増大化が、また省エネルギーを目的とした高効率化が求められるようになってきた。
出力の増大化の手段としては、ガスタービンの環状流路面積、すなわち寸法の増大化が図られる傾向にある。また、高効率化の手段としては、圧縮機圧力比の上昇、及び燃焼温度の向上が採用される傾向にある。これらはいずれもガスタービン動翼に作用する温度及び荷重の増加に直結するために、ガスタービン動翼は今後更に高温、高遠心荷重環境下に曝される事が予想され、必然的に強度の向上及び長寿命化が求められている。
さらに近年、電力料金の値下げに対する社会的な要望が強まってきている中で、発電コストの低減が急務となっている。特に燃焼器やタービン動静翼などの高温部品の補修費用は、ガスタービンの補修費用の多くを占めており、補修期間及び工数の短縮が求められている。
しかしながら、上記従来技術ではそのような課題を十分に解決することができない。
上記従来技術のうち、従来一般に採用されている補修方法では、発生したき裂に対してひとつひとつ肉盛溶接を施工するために、作業効率の向上には限界があり、補修に長期間を要していた。また、同じ部位に複数回き裂が発生した場合には、他に健全な部位が存在しても、補修回数によって部品としての寿命が定められてしまうために補修費用の削減に対しては十分とは言えない。
特開平９−１６８９２７号公報の補修方法も、肉盛溶接の代わりに保持板を用いろう付けし、更にレーザ溶接するものであり、肉盛溶接の場合と同様の問題がある。
特開２０００−３５６１０２号公報に記載の補修方法では、動翼にき裂が多数発生した場合、それらのき裂を含む部位を丸ごと継ぎ当て部品に交換できるため、き裂をひとつひとつ肉盛溶接で補修する方法に比べ、作業効率の向上が期待できる。しかし、この従来技術では、継ぎ当て部品として削り代のあるものを用い、動翼に接合後、既存表面の計測データ収集して適合形状を決定し、継ぎ当て部品の余剰部分を削り取る工程が必要である。したがって、溶接後の工数が多く、必ずしも作業効率が優れているとは言ない。このため補修期間は長期化せざるを得ない。
また、上述したように、発電用ガスタービンの動翼の翼部内部には冷却流路が複雑に設けられているため、補修にともない内部の冷却流路が閉塞されたり流路が狭まってしまうと、冷却不足となって動翼温度が上昇し、溶融などの重要な損傷が生じる。
特開２０００−３５６１０２号公報に記載の補修方法は、冷却流路のない蒸気タービンの動翼の補修を対象とするものであり、補修時の冷却流路に関する問題を解決することはできない。
一方、特開２００１−２０７８０３号公報に記載の補修方法はタービン動翼でなく静翼の補修を対象としているものである。仮にこの補修方法をタービン動翼に適用した場合、予備品は予め亀裂が発生する確率が高い部位を想定して用意しておくものであるため、予備品の形状を当該部位の形状に合わせておくことによりき裂の発生部位を予備品に置き換えた後の工程は不要であるか最少にできるものと考えられる。しかし、この従来技術では、補修対象として静翼シュラウドなどの冷却流路のない部材を想定しており、特開２０００−３５６１０２号公報に記載の補修方法と同様、補修時の冷却流路に関する問題を解決することはできない。
また、溶接に伴う溶接線は、母材よりも強度が低下するため、溶接線に作用する荷重を考慮し補修後の強度を確保する必要がある。
特開昭５８−１４８２０１号公報、特開平５−３２１６０２号公報、特開平１１−２２４０７号公報に記載の翼構造は、パーツを交換することで翼の補修が可能である。しかし、翼構造が特殊であり、一般的な動翼には適用できない。
本発明の第１の目的は、補修が容易であり、補修時の作業効率に優れ、補修期間を短縮し補修費用を削減できる発電用ガスタービンの動翼の補修方法及び補修後のタービン動翼を提供することである。
本発明の第２の目的は、補修が容易であり、かつ補修にともない内部の冷却流路が閉塞されたり流路が狭まることがなく、補修後も適切な冷却を行える発電用ガスタービンの動翼の補修方法及び補修後のタービン動翼を提供することである。
本発明の第３の目的は、補修が容易であり、かつ補修後の強度を確保できる発電用ガスタービンの動翼の補修方法及び補修後のタービン動翼を提供することである。
（１）上記第１及び第２の目的を解決するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、前記動翼の損傷を補修するための交換用の部品を事前に用意しておくこと、前記動翼に損傷が生じると、その損傷箇所を含むように損傷部位を前記交換用の部品と同形状に切り取り、その動翼の切り取り面に前記交換用の部品を溶接により接合すること、前記交換用の部品の形状及び前記損傷部位の切り取り形状を、前記動翼の切り取り面の少なくとも一部が前記複数の冷却流路の少なくとも一部を横切るように設定し、かつ前記交換用の部品の内部に複数の冷却流路を形成すること、前記動翼の切り取り面に開口する複数の冷却流路の開口部と前記交換用の部品の接合面に開口する複数の冷却流路の開口部の少なくとも一方を各冷却流路の直径よりも拡大することの各手順を有するものとする。
このように交換用の部品を事前に用意しておき、損傷部位を交換用の部品と同形状に切り取ることにより、交換用の部品の接合後は簡単な後処理を行うだけで済み、補修が極めて容易となる。その結果、補修時の作業効率が優れ、補修期間を短縮し補修費用を削減することができる。
また、動翼の切り取り面に開口する複数の冷却流路の開口部と交換用の部品の接合面に開口する複数の冷却流路の開口部の少なくとも一方を各冷却流路の直径よりも拡大することにより、切断誤差或いは溶接時の位置ずれが生じても流路が塞がったり狭まったりすることがなくなり、補修後も冷却媒体の流れを阻害することなく適切な冷却を行うことができる。
（２）また、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、前記動翼の損傷を補修するための交換用の部品を事前に用意しておくこと、前記動翼に損傷が生じると、その損傷箇所を含むように損傷部位を前記交換用の部品と同形状に切り取り、その動翼の切り取り面に前記交換用の部品を溶接により接合すること、前記交換用の部品の形状及び前記損傷部位の切り取り形状を、前記動翼の切り取り面の一部が前記複数の冷却流路と平行に冷却流路間の１つの残肉部内を通過するように設定することの各手順を有するものとする。
これにより上記（１）で述べたように補修が容易となるので、補修時の作業効率が優れ、補修期間を短縮し補修費用を削減することができる。
また、交換用の部品の形状及び損傷部位の切り取り形状を、動翼の切り取り面の一部が複数の冷却流路と平行に冷却流路間の１つの残肉部内を通過するように設定することにより、溶接後の裏ビードが冷却流路に露出することを回避でき、溶接裏ビードによる冷却流路の狭まりを防止することができる。また、溶接裏ビードに起因する応力集中部のない高品質、高強度の溶接が可能となる。
（３）更に、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、前記動翼の損傷を補修するための交換用の部品を事前に用意しておくこと、前記動翼に損傷が生じると、その損傷箇所を含むように損傷部位を前記交換用の部品と同形状に切り取り、その動翼の切り取り面に前記交換用の部品を溶接により接合すること、前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成すること、前記動翼の切り取り面に開口する複数の冷却流路の開口部と前記交換用の部品の接合面に開口する複数の冷却流路の開口部の少なくとも一方を各冷却流路の直径よりも拡大することの各手順を有するものとする。
これにより上記（１）及び（２）で述べたように補修が容易となるので、補修時の作業効率が優れ、補修期間を短縮し補修費用を削減することができるとともに、補修にともない内部の冷却流路が閉塞されたり流路が狭まることがなく、補修後も適切な冷却を行うことができる。
（４）また、上記第１及び第３の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、前記動翼の損傷を補修するための交換用の部品を事前に用意しておくこと、前記動翼に損傷が生じると、その損傷箇所を含むように損傷部位を前記交換用の部品と同形状に切り取り、その動翼の切り取り面に前記交換用の部品を溶接により接合すること、前記交換用の部品の形状及び前記損傷部位の切り取り形状を、前記動翼の切り取り面の少なくとも一部が前記複数の冷却流路の少なくとも一部を横切ように設定し、かつ前記動翼の切り取り面をタービン径方向に対して任意の角度で傾け、これに対応して前記交換用の部品との接合面における溶接線を傾けたことの各手順を有するものとする。
これにより上記（１）で述べたように補修が容易となるので、補修時の作業効率が優れ、補修期間を短縮し補修費用を削減することができる。
また、動翼の切り取り面をタービン径方向に対して任意の角度で傾けることにより、交換用の部品との接合面における溶接線も同様に傾斜するため、溶接面積が増大し、溶接線の法線方向に作用する荷重が低減する。これにより溶接強度が増大し、補修後の強度を確保することができる。
（５）上記（４）の補修方法は、好ましくは、前記交換用の部品の内部に複数の冷却流路を形成すること、前記動翼の切り取り面に開口する複数の冷却流路の開口部と前記交換用の部品の接合面に開口する複数の冷却流路の開口部の少なくとも一方を各冷却流路の直径よりも拡大することの各手順を更に有するものとする。
これにより上記（１）で述べたように、切断誤差或いは溶接時の位置ずれが生じても流路が塞がったり狭まったりすることがなくなり、補修後も冷却媒体の流れを阻害することなく適切な冷却を行うことができる。
（６）また、上記（４）又は（５）の補修方法は、好ましくは、前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成したことの各手順を更に有するものとする。
これにより上記（２）で述べたように、溶接後の裏ビードが冷却流路に露出することを回避でき、溶接裏ビードによる冷却流路の狭まりを防止することができる。また、溶接裏ビードに起因する応力集中部のない高品質、高強度の溶接が可能となる。
（７）更に、上記（１）〜（４）の補修方法において、好ましくは、前記タービンの新設計時は他の機種の動翼の損傷データを元に前記動翼の損傷箇所を予測し、この損傷箇所を含むように前記損傷部位の切り取り形状を設定し、同機種のタービンが既に稼動し、その動翼の実際の損傷データが得られるときは、その損傷データを元に前記動翼の損傷箇所を予測し、この損傷箇所を含むように前記損傷部位の切り取り形状を設定する。
このようにタービンの新設計時は他の機種の動翼の損傷データを元に動翼の損傷箇所を予測し、損傷部位の切り取り形状を設定することにより、新設計時であっても交換用の部品の形状及び損傷部位の切り取り形状を適切に設定し、補修を行うことができる。また、同機種のタービンが既に稼動し、その動翼の実際の損傷データが得られるときは、その損傷データを元に動翼の損傷箇所を予測し、この損傷箇所を含むように損傷部位の切り取り形状及び交換用の部品の形状を設定することにより、損傷部位の切り取り形状は実際に損傷が著しい箇所を含むように適正化され、より適切な補修が可能となる。
（８）また、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの補修後のタービン動翼において、前記動翼の一部が切り取られ、その代わりに交換用の部品が溶接により接合されており、前記動翼の切り取り面と交換用の部品との接合面の少なくとも一部が前記複数の冷却流路の少なくとも一部を横切り、かつ前記交換用の部品の内部に複数の冷却流路が形成されており、前記動翼の切り取り面に開口する複数の冷却流路の開口部と前記交換用の部品の接合面に開口する複数の冷却流路の開口部の少なくとも一方が各冷却流路の直径よりも拡大されているものとする。
（９）更に、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの補修後のタービン動翼において、前記動翼の一部が切り取られ、その代わりに交換用の部品が溶接により接合されており、前記動翼の切り取り面と交換用の部品との接合面の一部が前記複数の冷却流路と平行に冷却流路間の１つの残肉部内を通過するものとする。
発明を実施するための最良の形態
以下、本発明の実施の形態を図面を用いて説明する。
図１は、本発明が適用される発電用ガスタービンのタービン動翼の外観を示す図である。
図１において、タービン動翼は全体を符号１で示されており、この動翼１は翼部２と、翼部２の内周側を支持するプラットホーム部３と、プラットホーム部３の内周側に設けられ、タービンホイールの外周部に加工された植込み溝へ嵌合されるファーツリー部４とで構成されている。また、動翼１の内部には、動翼１の高さ方向（動翼１をタービンに組み込んだ状態で見た場合はタービン径方向）に伸びる複数の冷却流路５ａ〜５ｅが設けられている。
冷却流路５ａ〜５ｅは開放型であり、冷却流路５ａは翼部２の前縁部６に位置し、翼部２の外周端で開口し、冷却流路５ｂ，５ｃ，５ｄは翼部２の中央部に位置し、それぞれ翼部外周側と内周側でつながり、サーペインタイン状の流路構成を提供すると共に、冷却流路５ｄは翼部２の外周端で開口し、冷却流路５ｅは翼部２の後縁部７に位置し、翼部２の後縁端に開口する複数の小穴８に連通している。冷却流路５ａを流れる冷却媒体は翼部２の前縁部６を冷却した後、翼部外周端の開口からタービン流路へ放出される。冷却流路５ｂを流れる冷却媒体は冷却流路５ｃ，５ｄを通過し、翼部２の中央部を冷却した後、翼部外周端の開口からタービン流路へ放出される。冷却流路５ｅを流れる冷却媒体は翼部２の前縁部７を冷却した後、複数の小穴８からタービン流路へ放出される。
図２に発電用ガスタービンの一般的な構造を断面図で示す。ガスタービンは、大きく分けて、圧縮機１０１、燃焼器１０２及びタービン１０３から構成されている。圧縮機１０１は大気から吸い込んだ空気を作動流体として断熱圧縮し、燃焼器１０２は圧縮機１０１から供給された圧縮空気に燃料を混合し燃焼することで高温高圧のガスを生成し、タービン３は燃焼器２から導入した燃焼ガスの膨張の際に回転動力を発生する。タービン３からの排気は大気中に放出される。タービン３にて発生した回転動力から圧縮機１を駆動する動力を差し引いた残りの動力が、ガスタービンの発生動力となり発電機（図示せず）を駆動する。
タービン１０３は複数のタービンホイール１０４を備え、各タービンホイール１０４の外周部に上述した動翼１が多数リング状に取り付けられている。また、タービン１０３はケーシング１０５の内側に多数リング状に設けられたタービン静翼１０６を有し、動翼１と静翼１０６は交互に配置されている。
本発明は、以上のような発電用ガスタービンの動翼１を補修するものである。以下、本発明の一実施の形態に係わる動翼の補修方法を図３〜図１１を用いて説明する。本実施の形態は動翼の外周側前端部に生じたき裂を補修する場合のものである。
まず、本実施の形態に係わる補修方法の基本的な流れを図３〜図７を用いて説明する。
図３に示すように、動翼１の翼部２の外周側前縁部６ａにき裂９が生じた場合には、まず、図４及び図５に示すようにき裂９を含む損傷部位１０を切り取る。このとき、図６に示すように、翼部２の外周側前縁部６ａに生じたき裂９を補修するための交換用の部品１１を事前に用意しておく。損傷部位１０の切り取り形状はこの交換用の部品１１と同形状に設定して切り取る。次いで、図７に示すように翼部２の切り取り面に交換用の部品１１を溶接し、バリ取り等の簡単な後処理を行い補修を完了する。
以上において、交換用の部品１１は事前に用意しておくものであり、また損傷部位１０の切り取り形状を交換用の部品１１と同形状に設定して切り取るものである。このため、交換用の部品１１の接合後は簡単な後処理を行うだけで済み、補修が極めて容易となる。その結果、補修時の作業効率が優れ、補修期間を短縮し補修費用を削減することができる。
次に、き裂９を含む損傷部位１０の切り取り形状と冷却通路との関係について図８及び図９並びに図１０Ａ〜図１０Ｃを用いて説明する。
図８は損傷部位１０を切り取る前の動翼１の正面図、図９は損傷部位１０を切り取った後の動翼１及び交換用の部品１１の正面図である。
動翼１にはタービン径方向に伸びる複数の冷却流路５ａ〜５ｅが設けられている。損傷部位１０を切り取るとき、切り取り面の少なくとも一部は冷却流路５ａ〜５ｅのいずれかを横切らざるを得ない。図示の例では、冷却流路５ａ，５ｄに交差する面１５と動翼高さ方向に延びる面１６の２面で損傷部位１０を切り取っており、交換用の部品１１は切り取り面１５，１６に対応してこれに組合わさる接合面１７，１８を有する形状となっている。交換用の部品１１の内部には切り取った損傷部位１０の冷却流路５ａ，５ｄと同様な冷却流路１９，２０が形成されている。
また、翼部２の切り取り面１５に開口する冷却流路５ａ，５ｄの開口部と交換用の部品１１の接合面１７に開口する冷却流路１９，２０の開口部には流路径を増加させた拡大部２１，２２が形成されている。動翼高さ方向に延びる切り取り面１６は、冷却流路５ａ〜５ｅと平行に冷却流路５ｃ，５ｄ間の残肉部２５の中を通過するよう位置している。
ここで、上記のように冷却流路５ａ，５ｄに交差する面１５を含むように損傷部位１０を切り取る場合、切断誤差或いは交換用の部品１１の接合時の位置づれなどにより冷却流路５ａ，５ｂが閉塞されたり流路面積が狭まってしまう可能性がある。冷却流路５ａ，５ｂが閉塞されると動翼温度が上昇し、溶融などの重要な損傷が生じる。冷却流路５ａ，５ｂの面積が狭まった場合でも、圧損が増大し、冷却不足となり、同様の問題を生じる。
本実施の形態では、翼部２の切り取り面１５に開口する冷却流路５ａ，５ｄの開口部と交換用の部品１１の接合面１７に開口する冷却流路１９，２０の開口部に拡大部２１，２２を形成しており、これにより切断誤差或いは溶接時の位置ずれが生じても流路が塞がったり狭まったりすることがなくなり、補修後も冷却媒体の流れを阻害することなく適切な冷却を維持することができる。なお、流路開口部の拡大部は翼部２側と交換用の部品１１側のいずれか一方に設けられてもよく、この場合でもある程度の効果は期待できる。流路開口部の拡大部をいずれか一方に設ける場合は、補修期間の短縮のために、事前に用意してある交換用の部品１１側に設けることが好ましい。
動翼高さ方向に延びる切り取り面１６に関し、これが冷却流路を通るかどうかは交換用の部品１１の溶接の品質に影響を及ぼす。
図１０Ａに動翼１の翼部２の横断面を示す。翼部２にはタービン径方向に伸びる複数の冷却流路５ａ〜５ｅが設けられている。
図１０Ｂは、動翼高さ方向に延びる切り取り面１６が冷却流路５ｃ，５ｄ間の残肉部２５の中を通過する場合の交換用の部品１１の溶接後の状態を示す図である。切り取り面１６が冷却流路５ｃ，５ｄ間の残肉部２５の中を通過するので、溶接部３０もそれに対応した位置にある。この場合、例えば電子ビーム溶接若しくは液相拡散接合を用いることで、溶接部３０の幅を狭い範囲に制御することが可能であり、冷却流路に溶接裏ビードが露出することがない。このため溶接裏ビードによる冷却流路の狭まりを防止することができる。また、溶接裏ビードに起因する応力集中部のない高品質、高強度の溶接が可能となる。
図１０Ｃは、比較例として、動翼高さ方向に延びる切断面１６を冷却流路５ｄの中を通過するものとした場合の交換用の部品１１の溶接後の状態を示す図である。この場合、そのまま交換用の部品１１を溶接すると溶接部３１に裏ビードが生じ、これが冷却流路５ｄに露出するため、冷却流路が狭まり、冷却能力に影響を及ぼす。また、溶接裏ビードに起因する応力集中部が生成され、溶接強度が低下する可能性がある。これを防止するためには、図示のように冷却流路５ｄ内に鋳物砂で中子３２を配置することが考えられる。しかし、この場合は、中子３２の配置や溶接後の中子３２の取り出しが必要となり、工数が増え、補修修期間が長くなる。
このように動翼高さ方向に延びる切り取り面１６を冷却流路５ａ〜５ｅと平行に冷却流路５ｃ，５ｄ間の残肉部２５の中を通過させることにより、高品質、高強度の溶接が可能となりかつ補修期間も短縮することができる。
次に、交換用の部品１１及びき裂９を含む部位１０の形状の設計方法について説明する。
タービン１０３の新設計時は動翼１の損傷（き裂の発生箇所）に関するデータがない。そこで、この場合は、他の機種の動翼の損傷データを参考にし、このデータや冷却性能の解析結果などを用いて動翼１の損傷箇所を予測し、この損傷箇所を含むように損傷部位１０の切り取り形状を定め、それに合わせて交換用の部品１１の形状を定める。
タービン１０３と同機種のタービンが既に稼動し、その同機種のタービンの動翼の損傷データを収集できる場合は、その損傷データを用いて動翼１の損傷箇所を予測し、この損傷箇所を含むように損傷部位の切り取り形状を定め、それに合わせて交換用の部品１１の形状を定める。
図４〜図７に示した損傷部位１０の切り取り形状及び交換用の部品１１の形状は、タービン１０３の新設計時のものである。
図１１に同機種のタービンが既に稼動し、その同機種のタービンの動翼の損傷データを収集できる場合の損傷部位の切り取り形状を示す。交換用の部品もこれと同じ形状となるよう設計する。図１１では、同機種の損傷データから実際に損傷が著しい箇所を含むように損傷部位１０Ａの切り取り形状が定められ、適正化されている。これによりより適切な補修が可能となる。
また、図１１の例では、冷却流路５ａ，５ｄを横切る切り取り線１５をタービン径方向に対して任意の角度で傾けており、その結果、交換用の部品１１を接合した後の対応する溶接線も同様に傾斜する。ここで、動翼１の回転時、タービン径方向には遠心力が働く。切り取り線１５をタービン径方向に対して傾け、溶接線を同様に傾けることにより溶接面積が増大し、溶接線の法線方向に作用する荷重が低減する。これにより溶接強度が増大し、補修後の強度を確保することができる。
以上の動翼補修方法において、動翼の切り取り部分及び交換用の部品に、ジルコニアなどのセラミックスをプラズマスプレーにより被覆して熱遮蔽コーティングを施工することが好ましく、これにより溶接により強度が低下する部位及び損傷が発生しやすい部品の冷却強化を図ることができる。また、熱遮蔽コーティングと施工される動翼表面の中間に、ニッケル、コバルト、クロム、アルミニウム、イットリアなどからなる金属コーティングを施工してもよく、これによりセラミックと金属からなる動翼の熱膨張差を吸収することができる。
また、以上の動翼補修方法において、動翼１及び交換用の部品１５は溶接可能な材料からなる。この動翼材料及び交換用の部品材料としては、例えば酸化物分散強化型材料を用いることが好ましい。酸化物分散強化型材料としては、例えば、Ｎｉ，Ｃｒ，Ｗ，Ｍｏ，Ｔａ，ＮｉＡｌ，ＮｉＴｉＡｌなどの金属粉末に、高温長時間使後でも形態変化が生じにくいＹ２Ｏ３などを微細かつ均一に混合、分散させ、この粉末を固めた後に結晶を成長させたものである。
また、以上の動翼補修方法において、動翼材料及び交換用の部品材料として一方向凝固材料或いは単結晶材料を用いてもよい。一方向凝固材料としては、例えばＮｉ，Ｃｒ，Ｍｏ，Ｃｏ，Ｗ，Ｔａ，Ａｌなどからなり、凝固が一方向に制御されていくつかの結晶が冷却面に垂直に成長することで柱状晶が形成されたものである。単結晶材料としては、さらに柱状に成長していく複数の結晶から任意の結晶粒を選択的に成長させることで形成されるものである。ただし、一方向凝固材料若しくは単結晶材料を用いる場合には溶接される部材（動翼側）と溶接する部材（交換用の部品側）の結晶の方位をそろえる必要がある。
タービン動翼の外周側前端部以外の箇所にき裂が生じた場合の補修方法について図１２〜図１８により説明する。
図１２及び図１３は、タービン動翼１の翼部２の内周側前縁部６ｂにき裂９が生じた場合の補修方法を示す図であり、図１２はタービン新設計時のもの、図１３は同機種のタービンが既に稼動しておりその動翼の損傷データを収集できる場合のものである。これらの場合も、交換用の部品を事前に用意しておき、この交換用の部品と同形状に動翼１の翼部２のき裂９を含む損傷部位４０又は４０Ａを切り取り、その部分に交換用の部品を溶接する。これにより損傷部位４０又は４０Ａの補修を容易に行うことができる。
また、前述したように、タービン新設計時は、損傷部位４０の切り取り形状を（及び交換用の部品の形状）を暫定的に定め、それに合わせて交換用の部品の形状を定める。同機種のタービンが既に稼動しておりその動翼の損傷データを収集できる場合は、その損傷データを用いて動翼１の損傷箇所を予測し、この損傷箇所を含むように損傷部位４０Ａの切り取り形状（及び交換用の部品の形状）を定め、それに合わせて交換用の部品の形状を定める。これにより同機種の損傷データから損傷部位４０Ａの切り取り形状が適正化され、適切な補修が可能となる。
図１４及び図１５は、タービン動翼１の翼部２の内周側後縁部７ａにき裂９が生じた場合の補修方法を示す図であり、図１４はタービン新設計時のもの、図１５は同機種のタービンが既に稼動しておりその動翼の損傷データを収集できる場合のものである。これらの場合も、交換用の部品を事前に用意しておき、この交換用の部品と同形状に動翼１の翼部２のき裂９を含む損傷部位４１又は４１Ａを切り取り、その部分に交換用の部品を溶接する。これにより損傷部位４１又は４１Ａの補修を容易に行うことができる。
また、前述したように、タービン新設計時は、損傷部位４１の切り取り形状を（及び交換用の部品の形状）を暫定的に定め、それに合わせて交換用の部品の形状を定める。同機種のタービンが既に稼動しておりその動翼の損傷データを収集できる場合は、その損傷データを用いて動翼１の損傷箇所を予測し、この損傷箇所を含むように損傷部位４１Ａの切り取り形状を定め、それに合わせて交換用の部品の形状を定める。これにより同機種の損傷データから損傷部位４１Ａの切り取り形状が適正化され、適切な補修が可能となる。
図１６及び図１７は、タービン動翼１の翼部２の外周側後縁部７ｂにき裂９が生じた場合の補修方法を示す図であり、図１６はタービン新設計時のもの、図１５は同機種のタービンが既に稼動しておりその動翼の損傷データを収集できる場合のものである。これらの場合も、交換用の部品を事前に用意しておき、この交換用の部品と同形状に動翼１の翼部２のき裂９を含む損傷部位４２又は４２Ａを切り取り、その部分に交換用の部品を溶接する。これにより損傷部位４２又は４２Ａの補修を容易に行うことができる。
また、前述したように、タービン新設計時は、損傷部位４２の切り取り形状を（及び交換用の部品の形状）を暫定的に定め、それに合わせて交換用の部品の形状を定める。同機種のタービンが既に稼動しておりその動翼の損傷データを収集できる場合は、その損傷データを用いて動翼１の損傷箇所を予測し、この損傷箇所を含むように損傷部位４２Ａの切り取り形状を定め、それに合わせて交換用の部品の形状を定める。これにより同機種の損傷データから損傷部位４２Ａの切り取り形状が適正化され、適切な補修が可能となる。
図１８は、タービン動翼１の内周側プラットホーム部３にき裂７が生じた場合の補修方法を示す図である。この場合も、交換用の部品を事前に用意しておき、この交換用の部品と同形状に動翼１の翼部２のき裂９を含む損傷部位４３を切り取り、その部分に交換用の部品を溶接する。これにより損傷部位４３の補修を容易に行うことができる。
以上の実施の形態は、開放型の冷却流路５ａ〜５ｅを持つ動翼に本発明を適用した場合のものであるが、回収形の冷却流路を持つ動翼に本発明を適用してもよい。図１９はその一例示すものである。
図１９において、動翼１Ａの内部には、動翼１Ａの高さ方向（動翼１Ａをタービンに組み込んだ状態で見た場合はタービン径方向）に伸びる複数の冷却流路５０ａ〜５０ｆが設けられている。冷却流路５０ａは翼部２Ａの前縁部６に位置し、冷却流路５０ｂ，５０ｃ，５０ｄは翼部２Ａの中央部に位置し、冷却流路５０ａ〜５０ｄはそれぞれ翼部外周側と内周側でつながり、サーペインタイン状の流路構成を提供し、冷却流路５０ｅ，５０ｆは翼部２Ａの後縁部７に位置し、翼部２Ａの外周側でつながっている。冷却流路５０ａから供給された冷却媒体は翼部２Ａの前縁部６を冷却した後、冷却流路５０ｂ，５０ｃ，５０ｄを流れて翼部２Ａの中央部を冷却し、冷却流路５０ｄから回収される。冷却流路５０ｅから供給された冷却媒体は冷却流路５０ｅから冷却流路５０ｆへと流れ翼部２Ａの前縁部７を冷却した後、冷却流路５０ｆから回収される。
このような回収形の冷却流路５０ａ〜５０ｆを持つ動翼１Ａに対しても、上記の実施の形態と同様に交換用の部品を用いて動翼の補修を行うことができ、この場合も上記実施の形態と同様の効果を得ることができる。
産業上の利用可能性
本発明によれば、交換用の部品を事前に用意しておき、損傷部位を交換用の部品と同形状に切り取るので、交換用の部品の接合後は簡単な後処理を行うだけで済み、補修が極めて容易となる。その結果、補修時の作業効率が優れ、補修期間を短縮し補修費用を削減することができる。
また、動翼の切り取り面に開口する複数の冷却流路の開口部と交換用の部品の接合面に開口する複数の冷却流路の開口部の少なくとも一方を各冷却流路の直径よりも拡大するので、切断誤差或いは溶接時の位置ずれが生じても流路が塞がったり狭まったりすることがなくなり、補修後も冷却媒体の流れを阻害することなく適切な冷却を行うことができる。
また、本発明によれば、交換用の部品の形状及び損傷部位の切り取り形状を、動翼の切り取り面の一部が複数の冷却流路と平行に冷却流路間の１つの残肉部内を通過するように設定するので、溶接後の裏ビードが冷却流路に露出することを回避でき、溶接裏ビードによる冷却流路の狭まりを防止することができる。また、溶接裏ビードに起因する応力集中部のない高品質、高強度の溶接が可能となる。
更に、本発明によれば、動翼の切り取り面をタービン径方向に対して任意の角度で傾けるので、交換用の部品の溶接線も同様に傾斜するため、溶接面積が増大し、溶接線の法線方向に作用する荷重が低減する。これにより溶接強度が増大し、補修後の強度を確保することができる。
【図面の簡単な説明】
図１は、本発明が適用される発電用ガスタービンのタービン動翼の外観及び冷却流路構成を示す図である。
図２は、発電用ガスタービンの一般的な構造を示す断面図である。
図３は、動翼の翼部の外周側前縁部にき裂が生じた場合の動翼の外観図である。
図４は、動翼の翼部の外周側前縁部にき裂が生じた場合の切り取り箇所であるき裂を含む部位を示す動翼の外観図である。
図５は、図４に示したき裂を含む部位を切り取った後の動翼の外観図である。
図６は、き裂を含む部位を切り取った後、その部分に交換用の部品を配置するときの動翼の外観図である。
図７は、き裂を含む部位を切り取った部分に交換用の部品を溶接により接合した後の動翼の外観図である。
図８は、き裂を含む部位を切り取る前の動翼の正面図である。
図９は、き裂を含む部位を切り取った後の動翼及び交換用の部品の正面図である。
図１０Ａは、動翼の翼部の横断面図である。
図１０Ｂは、動翼高さ方向に延びる切断面が冷却流路間の残肉部の中を通過する場合の溶接方法を示す図である。
図１０Ｃは、比較例として、動翼高さ方向に延びる切断面が冷却流路の中を通過する場合の溶接方法を示す図である。
図１１は、同機種のタービンが既に稼動し、その動翼の損傷データを収集できる場合の損傷箇所を含む部位の形状を示す動翼の外観図である。
図１２及び図１３は、タービン動翼の翼部の内周側前縁部にき裂が生じた場合の補修方法を示す図である。
図１４及び図１５は、タービン動翼の翼部の内周側後縁部にき裂が生じた場合の補修方法を示す図である。
図１６及び図１７は、タービン動翼の翼部の外周側後縁部にき裂が生じた場合の補修方法を示す図である。
図１８は、タービン動翼の内周側プラットホーム部にき裂が生じた場合の補修方法を示す図である。
図１９は、回収形の冷却流路を持つ動翼の外観及び冷却流路構成を示す図である。
【図１】
2003048528.tif 000003
【図２】
2003048528.tif 000004
【図３】
2003048528.tif 000005
【図４】
2003048528.tif 000006
【図５】
2003048528.tif 000007
【図６】
2003048528.tif 000008
【図７】
2003048528.tif 000009
【図８】
2003048528.tif 000010
【図９】
2003048528.tif 000011
【図１０Ａ】
2003048528.tif 000012
【図１０Ｂ】
2003048528.tif 000013
【図１０Ｃ】
2003048528.tif 000014
【図１１】
2003048528.tif 000015
【図１２】
2003048528.tif 000016
【図１３】
2003048528.tif 000017
【図１４】
2003048528.tif 000018
【図１５】
2003048528.tif 000019
【図１６】
2003048528.tif 000020
【図１７】
2003048528.tif 000021
【図１８】
2003048528.tif 000022
【図１９】
2003048528.tif 000023
【手続補正書】
【提出日】平成14年4月10日(2002.4.10)
【手続補正１】
【補正対象書類名】明細書
【補正対象項目名】特許請求の範囲
【補正方法】変更
【補正の内容】
【特許請求の範囲】
【請求項１】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、
前記動翼の損傷を補修するための交換用の部品を事前に用意しておくこと、
前記動翼に損傷が生じると、その損傷箇所を含むように損傷部位を前記交換用の部品と同形状に切り取り、その動翼の切り取り面に前記交換用の部品を溶接により接合すること、
前記交換用の部品の形状及び前記損傷部位の切り取り形状を、前記動翼の切り取り面の少なくとも一部が前記複数の冷却流路の少なくとも一部を横切るように設定し、かつ前記交換用の部品の内部に複数の冷却流路を形成すること、
前記動翼の切り取り面に開口する複数の冷却流路の開口部と前記交換用の部品の接合面に開口する複数の冷却流路の開口部の少なくとも一方を各冷却流路よりも拡大することを特徴とする発電用ガスタービンの動翼の補修方法。
【請求項２】
削除
【請求項３】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、
前記動翼の損傷を補修するための交換用の部品を事前に用意しておくこと、
前記動翼に損傷が生じると、その損傷箇所を含むように損傷部位を前記交換用の部品と同形状に切り取り、その動翼の切り取り面に前記交換用の部品を溶接により接合すること、
前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成すること、
前記動翼の切り取り面に開口する複数の冷却流路の開口部と前記交換用の部品の接合面に開口する複数の冷却流路の開口部の少なくとも一方を各冷却流路よりも拡大することを特徴とする発電用ガスタービンの動翼の補修方法。
【請求項４】
削除
【請求項５】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、
前記動翼の損傷を補修するための交換用の部品を事前に用意しておくこと、
前記動翼に損傷が生じると、その損傷箇所を含むように損傷部位を前記交換用の部品と同形状に切り取り、その動翼の切り取り面に前記交換用の部品を溶接により接合すること、
前記交換用の部品の形状及び前記損傷部位の切り取り形状を、前記動翼の切り取り面の少なくとも一部が前記複数の冷却流路の少なくとも一部を横切ように設定し、かつ前記動翼の切り取り面をタービン径方向に対して任意の角度で傾け、これに対応して前記交換用の部品との接合面における溶接線を傾けること、
前記交換用の部品の内部に複数の冷却流路を形成すること、
前記動翼の切り取り面に開口する複数の冷却流路の開口部と前記交換用の部品の接合面に開口する複数の冷却流路の開口部の少なくとも一方を各冷却流路よりも拡大することを特徴とする発電用ガスタービンの動翼の補修方法。
【請求項６】
請求項５記載の発電用ガスタービンの動翼の補修方法において、
前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成したことを特徴とする発電用ガスタービンの動翼の補修方法。
【請求項７】
請求項１又は３記載の発電用ガスタービンの動翼の補修方法において、前記タービンの新設計時は他の機種の動翼の損傷データを元に前記動翼の損傷箇所を予測し、この損傷箇所を含むように前記損傷部位の切り取り形状を設定し、同機種のタービンが既に稼動し、その動翼の実際の損傷データが得られるときは、その損傷データを元に前記動翼の損傷箇所を予測し、この損傷箇所を含むように前記損傷部位の切り取り形状を設定することを特徴とする発電用ガスタービンの動翼の補修方法。
【請求項８】
大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの補修後のタービン動翼において、
前記動翼の一部が切り取られ、その代わりに交換用の部品が溶接により接合されており、
前記動翼の切り取り面と交換用の部品との接合面の少なくとも一部が前記複数の冷却流路の少なくとも一部を横切り、かつ前記交換用の部品の内部に複数の冷却流路が形成されており、
前記動翼の切り取り面に開口する複数の冷却流路の開口部と前記交換用の部品の接合面に開口する複数の冷却流路の開口部の少なくとも一方が各冷却流路よりも拡大されていることを特徴とする発電用ガスタービンの補修後のタービン動翼。
【手続補正２】
【補正対象書類名】明細書
【補正対象項目名】０００５
【補正方法】変更
【補正の内容】
【０００５】
前記交換用の部品の接合面に開口する複数の冷却流路の開口部の少なくとも一方を各冷却流路よりも拡大することの各手順を有するものとする。
このように交換用の部品を事前に用意しておき、損傷部位を交換用の部品と同形状に切り取ることにより、交換用の部品の接合後は簡単な後処理を行うだけで済み、補修が極めて容易となる。その結果、補修時の作業効率が優れ、補修期間を短縮し補修費用を削減することができる。
また、動翼の切り取り面に開口する複数の冷却流路の開口部と交換用の部品の接合面に開口する複数の冷却流路の開口部の少なくとも一方を各冷却流路よりも拡大することにより、切断誤差或いは溶接時の位置ずれが生じても流路が塞がったり狭まったりすることがなくなり、補修後も冷却媒体の流れを阻害することなく適切な冷却を行うことができる。
（２）また、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、前記動翼の損傷を補修するための交換用の部品を事前に用意しておくこと、前記動翼に損傷が生じると、その損傷箇所を含むように損傷部位を前記交換用の部品と同形状に切り取り、その動翼の切り取り面に前記交換用の部品を溶接により接合すること、前記交換用の部品の形状及び前記損傷部位の切り取り形状を、前記動翼の切り取り面の一部が前記複数の冷却流路と平行に冷却流路間の１つの残肉部内を通過するように設定することの各手順を有するものとする。
これにより上記（１）で述べたように補修が容易となるので、補修時の作業効率が優れ、補修期間を短縮し補修費用を削減することができる。
また、交換用の部品の形状及び損傷部位の切り取り形状を、動翼の切り取り面の一部が複数の冷却流路と平行に冷却流路間の１つの残肉部内を通過するように設定することにより、溶接後の裏ビードが冷却流路に露出することを回避でき、溶接裏ビードによる冷却流路の狭まりを防止することができる。また、溶接裏ビ


【手続補正３】
【補正対象書類名】明細書
【補正対象項目名】０００６
【補正方法】変更
【補正の内容】
【０００６】
ードに起因する応力集中部のない高品質、高強度の溶接が可能となる。
（３）更に、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、前記動翼の損傷を補修するための交換用の部品を事前に用意しておくこと、前記動翼に損傷が生じると、その損傷箇所を含むように損傷部位を前記交換用の部品と同形状に切り取り、その動翼の切り取り面に前記交換用の部品を溶接により接合すること、前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成すること、前記動翼の切り取り面に開口する複数の冷却流路の開口部と前記交換用の部品の接合面に開口する複数の冷却流路の開口部の少なくとも一方を各冷却流路よりも拡大することの各手順を有するものとする。
これにより上記（１）及び（２）で述べたように補修が容易となるので、補修時の作業効率が優れ、補修期間を短縮し補修費用を削減することができるとともに、補修にともない内部の冷却流路が閉塞されたり流路が狭まることがなく、補修後も適切な冷却を行うことができる。
（４）また、上記第１及び第３の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの動翼の補修方法において、前記動翼の損傷を補修するための交換用の部品を事前に用意しておくこと、前記動翼に損傷が生じると、その損傷箇所を含むように損傷部位を前記交換用の部品と同形状に切り取り、その動翼の切り取り面に前記交換用の部品を溶接により接合すること、前記交換用の部品の形状及び前記損傷部位の


【手続補正４】
【補正対象書類名】明細書
【補正対象項目名】０００７
【補正方法】変更
【補正の内容】
【０００７】
切り取り形状を、前記動翼の切り取り面の少なくとも一部が前記複数の冷却流路の少なくとも一部を横切ように設定し、かつ前記動翼の切り取り面をタービン径方向に対して任意の角度で傾け、これに対応して前記交換用の部品との接合面における溶接線を傾けたことの各手順を有するものとする。
これにより上記（１）で述べたように補修が容易となるので、補修時の作業効率が優れ、補修期間を短縮し補修費用を削減することができる。
また、動翼の切り取り面をタービン径方向に対して任意の角度で傾けることにより、交換用の部品との接合面における溶接線も同様に傾斜するため、溶接面積が増大し、溶接線の法線方向に作用する荷重が低減する。これにより溶接強度が増大し、補修後の強度を確保することができる。
（５）上記（４）の補修方法は、好ましくは、前記交換用の部品の内部に複数の冷却流路を形成すること、前記動翼の切り取り面に開口する複数の冷却流路の開口部と前記交換用の部品の接合面に開口する複数の冷却流路の開口部の少なくとも一方を各冷却流路よりも拡大することの各手順を更に有するものとする。
これにより上記（１）で述べたように、切断誤差或いは溶接時の位置ずれが生じても流路が塞がったり狭まったりすることがなくなり、補修後も冷却媒体の流れを阻害することなく適切な冷却を行うことができる。
（６）また、上記（４）又は（５）の補修方法は、好ましくは、前記交換用の部品の形状及び前記損傷部位の切り取り形状を、前記動翼の切り取り面の一部が前記複数の冷却流路の一部を横切り、前記動翼の切り取り面の他の一部が前記複数の冷却流路と平行に冷却流路間の１つの壁部内を通過するように設定し、かつ前記交換用の部品の内部に複数の冷却流路を形成したことの各手順を更に有するものとする。
これにより上記（２）で述べたように、溶接後の裏ビードが冷却流路に露出することを回避でき、溶接裏ビードによる冷却流路の狭まりを防止することができる。また、溶接裏ビードに起因する応力集中部のない高品質、高強度の溶接が可能となる。
（７）更に、上記（１）〜（４）の補修方法において、好ましくは、前記ター


【手続補正５】
【補正対象書類名】明細書
【補正対象項目名】０００８
【補正方法】変更
【補正の内容】
【０００８】
ビンの新設計時は他の機種の動翼の損傷データを元に前記動翼の損傷箇所を予測し、この損傷箇所を含むように前記損傷部位の切り取り形状を設定し、同機種のタービンが既に稼動し、その動翼の実際の損傷データが得られるときは、その損傷データを元に前記動翼の損傷箇所を予測し、この損傷箇所を含むように前記損傷部位の切り取り形状を設定する。
このようにタービンの新設計時は他の機種の動翼の損傷データを元に動翼の損傷箇所を予測し、損傷部位の切り取り形状を設定することにより、新設計時であっても交換用の部品の形状及び損傷部位の切り取り形状を適切に設定し、補修を行うことができる。また、同機種のタービンが既に稼動し、その動翼の実際の損傷データが得られるときは、その損傷データを元に動翼の損傷箇所を予測し、この損傷箇所を含むように損傷部位の切り取り形状及び交換用の部品の形状を設定することにより、損傷部位の切り取り形状は実際に損傷が著しい箇所を含むように適正化され、より適切な補修が可能となる。
（８）また、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部にタービン径方向に伸びる複数の冷却流路を形成した発電用ガスタービンの補修後のタービン動翼において、前記動翼の一部が切り取られ、その代わりに交換用の部品が溶接により接合されており、前記動翼の切り取り面と交換用の部品との接合面の少なくとも一部が前記複数の冷却流路の少なくとも一部を横切り、かつ前記交換用の部品の内部に複数の冷却流路が形成されており、前記動翼の切り取り面に開口する複数の冷却流路の開口部と前記交換用の部品の接合面に開口する複数の冷却流路の開口部の少なくとも一方が各冷却流路よりも拡大されているものとする。
（９）更に、上記第１及び第２の目的を達成するために、本発明は、大気から吸い込んだ空気を断熱圧縮して圧縮空気を生成する圧縮機、前記圧縮空気に燃料を混合し燃焼することで高温高圧の燃焼ガスを生成する燃焼器、前記燃焼ガスの膨張の際に回転動力を発生するタービンとを備え、このタービンの各動翼の内部


【手続補正６】
【補正対象書類名】明細書
【補正対象項目名】００１２
【補正方法】変更
【補正の内容】
【００１２】
補修が極めて容易となる。その結果、補修時の作業効率が優れ、補修期間を短縮し補修費用を削減することができる。
次に、き裂９を含む損傷部位１０の切り取り形状と冷却通路との関係について図８及び図９並びに図１０Ａ〜図１０Ｃを用いて説明する。
図８は損傷部位１０を切り取る前の動翼１の正面図、図９は損傷部位１０を切り取った後の動翼１及び交換用の部品１１の正面図である。
動翼１にはタービン径方向に伸びる複数の冷却流路５ａ〜５ｅが設けられている。損傷部位１０を切り取るとき、切り取り面の少なくとも一部は冷却流路５ａ〜５ｅのいずれかを横切らざるを得ない。図示の例では、冷却流路５ａ，５ｄに交差する面１５と動翼高さ方向に延びる面１６の２面で損傷部位１０を切り取っており、交換用の部品１１は切り取り面１５，１６に対応してこれに組合わさる接合面１７，１８を有する形状となっている。交換用の部品１１の内部には切り取った損傷部位１０の冷却流路５ａ，５ｄと同様な冷却流路１９，２０が形成されている。
また、翼部２の切り取り面１５に開口する冷却流路５ａ，５ｄの開口部と交換用の部品１１の接合面１７に開口する冷却流路１９，２０の開口部には流路を拡大した拡大部２１，２２が形成されている。動翼高さ方向に延びる切り取り面１６は、冷却流路５ａ〜５ｅと平行に冷却流路５ｃ，５ｄ間の残肉部２５の中を通過するよう位置している。
ここで、上記のように冷却流路５ａ，５ｄに交差する面１５を含むように損傷部位１０を切り取る場合、切断誤差或いは交換用の部品１１の接合時の位置づれなどにより冷却流路５ａ，５ｂが閉塞されたり流路面積が狭まってしまう可能性がある。冷却流路５ａ，５ｂが閉塞されると動翼温度が上昇し、溶融などの重要な損傷が生じる。冷却流路５ａ，５ｂの面積が狭まった場合でも、圧損が増大し、冷却不足となり、同様の問題を生じる。
本実施の形態では、翼部２の切り取り面１５に開口する冷却流路５ａ，５ｄの開口部と交換用の部品１１の接合面１７に開口する冷却流路１９，２０の開口部に拡大部２１，２２を形成しており、これにより切断誤差或いは溶接時の位置ずれが生じても流路が塞がったり狭まったりすることがなくなり、補修後も冷却媒


【手続補正７】
【補正対象書類名】明細書
【補正対象項目名】００１８
【補正方法】変更
【補正の内容】
【００１８】
済み、補修が極めて容易となる。その結果、補修時の作業効率が優れ、補修期間を短縮し補修費用を削減することができる。
また、動翼の切り取り面に開口する複数の冷却流路の開口部と交換用の部品の接合面に開口する複数の冷却流路の開口部の少なくとも一方を各冷却流路よりも拡大するので、切断誤差或いは溶接時の位置ずれが生じても流路が塞がったり狭まったりすることがなくなり、補修後も冷却媒体の流れを阻害することなく適切な冷却を行うことができる。
また、本発明によれば、交換用の部品の形状及び損傷部位の切り取り形状を、動翼の切り取り面の一部が複数の冷却流路と平行に冷却流路間の１つの残肉部内を通過するように設定するので、溶接後の裏ビードが冷却流路に露出することを回避でき、溶接裏ビードによる冷却流路の狭まりを防止することができる。また、溶接裏ビードに起因する応力集中部のない高品質、高強度の溶接が可能となる。
更に、本発明によれば、動翼の切り取り面をタービン径方向に対して任意の角度で傾けるので、交換用の部品の溶接線も同様に傾斜するため、溶接面積が増大し、溶接線の法線方向に作用する荷重が低減する。これにより溶接強度が増大し、補修後の強度を確保することができる。




【国際調査報告】
2003048528.tif 000024
2003048528.tif 000025
2003048528.tif 000026